(57)【要約】【課題】落下に際して内部の包装体へのダメージを極力小さくすることができるとともに、複数の包装体を梱包箱に詰める作業を簡単に行える包装体の梱包構造及び梱包方法を提供することである。【解決手段】複数の包装体１００が梱包箱１０内に梱包された包装体の梱包構造であって、梱包箱１０の底部１１に緩衝部材２０が設けられ、部分的に重なるように配置された複数の包装体１００をその上方に空隙をもって内包する段ボール製の一または複数のスリーブ体３０が緩衝部材２０上に重ねられる。【選択図】図１
2010023870.tif 000002
【特許請求の範囲】
【請求項１】
複数の包装体が梱包箱内に梱包された包装体の梱包構造であって、
前記梱包箱の底部に緩衝部材が設けられ、
部分的に重なるように配置された複数の包装体をその上方に空隙をもって内包する段ボール製の一または複数のスリーブ体が前記緩衝部材上に重ねられた、包装体の梱包構造。
【請求項２】
最上のスリーブ体上に部分的に重なるように配置された複数の包装体が置かれた、請求項１記載の包装体の梱包構造。
【請求項３】
最上のスリーブ体上に位置する前記複数の包装体の上に仕切り板が設けられ、
部分的に重なるように配置された複数の包装体が前記仕切り板上に置かれた、請求項２記載の包装体の梱包構造。
【請求項４】
前記緩衝部材は、前記梱包箱の底部と前記スリーブ体との間に空隙が形成されるように前記スリーブ体を支持する構造となる請求項１乃至３のいずれかに記載の包装体の梱包構造。
【請求項５】
前記緩衝部材は、段ボール製であって、前記スリーブ体を支持する支持板部の縁から下方に足板部が延びた構造となる請求項４に記載の包装体の梱包構造。
【請求項６】
前記スリーブ体は、底板部、該底板部の縁から立ち上がる立上がり部、該立ち上がり部に続いて前記底板部に対向する支持板部及び該支持板部の前記立上がり部に続く縁と逆側の縁から立下り、前記底板部に突き当たる立下り部によってスリーブ状に形成され、前記複数の包装体を前記支持板部との間に空隙が形成されるように前記底板部と前記支持板部との間に内包する、請求項１乃至５のいずれかに記載の包装体の梱包構造。
【請求項７】
前記複数の包装体のそれぞれは、所定の部位にスパウトの設けられたパウチであって、該複数のパウチは、前記スパウトが他のパウチのスパウトの設けられていない部分に重なるように配置された、請求項１乃至６のいずれかに記載の包装体の梱包構造。
【請求項８】
複数の包装体を梱包箱に梱包する際の梱包方法であって、
前記梱包箱の底部に緩衝部材を設ける第１のステップと、
部分的に重なるように配置された複数の包装体をその上方に空隙をもって内包する段ボール製の一または複数のスリーブ体を前記緩衝部材上に重ねる第２のステップとを有する包装体の梱包方法。
【請求項９】
前記スリーブ体は、底板部、該底板部の縁から立ち上がる立上がり部、該立上がり部に続き、前記底板部に対向する支持板部及び該支持板部の前記立上がり部に続く縁と逆側の縁から立下り、前記底板部に突き当たる立下り部によってスリーブ状に形成され、
前記第２のステップにおいて一または複数のスリーブ体の少なくとも１つのスリーブ体を前記梱包箱内にセットする際に、前記底板部が露出するように前記支持板部を立ち上げた状態で、前記底板部を前記梱包箱内にセットし、
前記底板部上に前記複数の包装体を部分的に重なるように配置しながら置き、
前記立上がり部と前記支持板部との境界部を折り曲げて該支持板部を前記底板部に対向させるとともに前記立下り部を前記底板部に突き当てるようにした、請求項８記載の包装体の梱包方法。
【発明の詳細な説明】
【技術分野】
【０００１】
本発明は、パウチ等の包装体が段ボール製のカートン箱等の梱包箱に梱包された包装体の梱包構造及びその梱包方法に関する。
【背景技術】
【０００２】
従来、軟質の医療用容器（包装体）を複数梱包した医療用容器梱包体が提案されている（特許文献１参照）。この医療用梱包体は、フラップ部（足部）を有する底板部材が包装箱本体の底部に当該フラップ部が当接するように置かれるとともに、前記底板部材のフラップ部より長いフラップ部（足部）を有する中板部材がそのフラップ部が前記底板部材のフラップ部と包装箱本体の内壁との間に差し込まれて底部に当接するように包装箱本体内に置かれた構造となっている。そして、複数の医療用容器が、中板部材の上板部との間に空隙が形成されるように底板部材の上板部上に重ね置かれ、更に、中板部材の上板部上に複数の医療用容器が重ね置かれる。
【０００３】
このような医療用容器梱包体によれば、中板部材上に重ねられた医療用容器の荷重が、底板部材上に重ねられた医療用容器にかからないので、その梱包体を落下させた場合に、中板部材上に重ねられた医療用容器の荷重が当該中板部材にて吸収され得るようになる。また、底板部材上に重ねられた医療用容器と中板部材の上板部との間に空隙が形成されているので、梱包体を落下させた際に医療用容器の重みで中板部材が変形しても、その中板部材の変形部分が底板部材上に重ねられた医療用容器に達し難い。このため、落下時における医療用容器に対するダメージを極力小さくすることができる。
【特許文献１】特開２００７−２０７１０号公報
【発明の開示】
【発明が解決しようとする課題】
【０００４】
しかし、従来の医療用容器梱包体のような包装体の梱包構造では、包装箱本体内に底板部材を置いた状態で、中板部材の四縁全部のフラップ部を前記底板部材のフラップ部と包装箱本体の内壁との間に差し込まなければならず、その作業が極めて難しい。また、包装箱本体をひっくり返して底側から、中板部材を先に入れて底板部材を後から入れることも考えられるが、このようにすると、医療用容器を入れた後に包装箱本体をひっくり返す必要があり、このように医療用容器が入った状態で包装箱本体をひっくり返すと、収容されている医療用容器の配列が乱れてしまう。
また、梱包段数を増やしたい場合には、各段にフラップ部の長さが異なる別個の中板部材を用意しなければならない。
【０００５】
本発明は、このような事情に鑑みてなされたもので、落下に際して内部の包装体へのダメージを極力小さくすることができるとともに、複数の包装体を梱包箱に詰める作業を簡単に行える包装体の梱包構造及び梱包方法を提供するものである。
【課題を解決するための手段】
【０００６】
本発明に係る包装体の梱包構造は、複数の包装体が梱包箱内に梱包された包装体の梱包構造であって、前記梱包箱の底部に緩衝部材が設けられ、部分的に重なるように配置された複数の包装体をその上方に空隙をもって内包する段ボール製の一または複数のスリーブ体が前記緩衝部材上に重ねられた構成となる。
【０００７】
このような構成により、部分的に重なるように配置された複数の包装体を内包するスリーブ体を梱包箱の底部に設けられた緩衝部材の上に重ねることによって、複数の包装体が当該梱包箱内に梱包される。このような構造にて複数の包装体が梱包された梱包箱が落下した場合、最下位のスリーブ体に内包される複数の包装体は、緩衝部材によってその衝撃が緩和され、それより上位のスリーブ体に内包される複数の包装体は、前記緩衝部材とともに下位のスリーブ体の空隙によってその衝撃が緩和される。更に、各スリーブ体に内包された複数の包装体の上方には空隙が形成されているので、当該スリーブ体より上方の包装体の重みによって当該スリーブ体が変形しても、その変形部分が複数の包装体に達し難い。
【０００８】
また、本発明に係る包装体の梱包構造において、最上のスリーブ体上に部分的に重なるように配置された複数の包装体が置かれた構成とすることができる。
【０００９】
このような構成により、最上位に積むべき複数の包装体については、スリーブ体を省くことができ、梱包材料の節約を図ることができる。
【００１０】
更に、本発明に係る包装体の梱包構造において、最上のスリーブ体上に位置する前記複数の包装体の上に仕切り板が設けられ、部分的に重なるように配置された複数の包装体が前記仕切り板上に置かれた構成とすることができる。
【００１１】
このような構成により、最上位の複数の包装体とその直下に位置する複数の包装体との間が仕切り板で仕切られるようになっているので、必要とするスリーブ体の数を減らすことができ、梱包材料の節約を図ることができる。前記最上位の複数の包装体とその直下に位置する複数の包装体とは、緩衝部材及びそれらより下位の各スリーブ体によって衝撃が緩和される。また、最上位の直下にある複数の包装体のそれぞれには、仕切り板を介して自重分程度の荷重しかかからない。
【００１２】
また、本発明に係る包装体の梱包構造において、前記緩衝部材は、前記梱包箱の底部と前記スリーブ体との間に空隙が形成されるように前記スリーブ体を支持する構造となる構成とすることができる。
【００１３】
このような構成により、スリーブ体のたわみが許容されるので、簡便な構造でスリーブ体にかかる衝撃を緩和することができる。
【００１４】
また、本発明に係る包装体の梱包構造において、前記緩衝部材は、段ボール製であって、前記スリーブ体を支持する支持板部の縁から下方に足板部が延びた構造となる構成とすることができる。
【００１５】
このような構成により、各スリーブ体の材料と同じ段ボールにて緩衝部材を形成するので、材料の効率的な利用を図ることができる。
【００１６】
更に、本発明に係る包装体の梱包構造において、前記スリーブ体は、底板部、該底板部の縁から立ち上がる立上がり部、該立ち上がり部に続いて前記底板部に対向する支持板部及び該支持板部の前記立上がり部に続く縁と逆側の縁から立下り、前記底板部に突き当たる立下り部によってスリーブ状に形成され、前記複数の包装体を前記支持板部との間に空隙が形成されるように前記底板部と前記支持板部との間に内包する構成とすることができる。
【００１７】
このような構成により、一枚の段ボール紙を折り曲げることにより、底板部、立上がり部、支持板部及び立下り部からなるスリーブ体を形成することができる。
【００１８】
また、本発明に係る包装体の梱包構造において、前記複数の包装体のそれぞれは、所定の角部にスパウトの設けられたパウチであって、該複数のパウチは、前記スパウトが他のパウチのスパウトの設けられていない部分に重なるように配置された構成とすることができる。
【００１９】
このような構成により、複数のスパウト付きパウチを落下に際して各スパウト及びその近傍のフィルム部を破損しないように梱包箱に詰めることができるようになる。
【００２０】
本発明に係る包装体の梱包方法は、複数の包装体を梱包箱に梱包する際の梱包方法であって、前記梱包箱の底部に緩衝部材を設ける第１のステップと、部分的に重なるように配置された複数の包装体をその上方に空隙をもって内包する段ボール製の一または複数のスリーブ体を前記緩衝部材上に重ねる第２のステップとを有する構成となる。
【００２１】
また、本発明に係る包装体の梱包方法において、前記スリーブ体は、底板部、該底板部の縁から立ち上がる立上がり部、該立上がり部に続き、前記底板部に対向する支持板部及び該支持板部の前記立上がり部に続く縁と逆側の縁から立下り、前記底板部に突き当たる立下り部によってスリーブ状に形成され、前記第２のステップにおいて一または複数のスリーブ体の少なくとも１つのスリーブ体を前記梱包箱内にセットする際に、前記底板部が露出するように前記支持板部を立ち上げた状態で、前記底板部を前記梱包箱内にセットし、前記底板部上に前記複数の包装体を部分的に重なるように配置しながら置き、前記立上がり部と前記支持板部との境界部を折り曲げて該支持板部を前記底板部に対向させるとともに前記立下り部を前記底板部に突き当てるようにした構成となる。
【００２２】
このような構成により、梱包箱内で複数の包装体を収容しつつスリーブ体を組み立てていくことができるので、スリーブ体と梱包箱の内壁との間の隙間が少なくても、包装体の梱包箱体内への梱包作業を容易に行うことができる。
【発明の効果】
【００２３】
本発明に係る包装体の梱包構造及び梱包方法によれば、部分的に重なるように配置された複数の包装体を内包するスリーブ体を梱包箱の底部に設けられた緩衝部材の上に重ねることによって、複数の包装体を当該梱包箱内に梱包することができ、更にその梱包箱が落下した場合であっても、最下位のスリーブ体に内包される複数の包装体は、緩衝部材によってその衝撃が緩和され、それより上位のスリーブ体に内包される複数の包装体は、前記緩衝部材とともに下位のスリーブ体の空隙によってその衝撃が緩和され、また、各スリーブ体より上方の包装体の重みによって当該スリーブ体が変形しても、その変形部分が複数の包装体に達し難いので、落下に際して内部の包装体へのダメージを極力小さくすることができるとともに、複数の包装体を梱包箱に詰める作業を簡単に行える。
【発明を実施するための最良の形態】
【００２４】
以下、本発明の実施の形態について、図面を用いて説明する。
【００２５】
本発明の実施の形態に係る包装体の梱包構造は、図１乃至図９に示すように構成される。この例は、スパウト付きのパウチを段ボール製のカートン箱に梱包した梱包構造であって、図１は、その梱包構造を構成する各部材を示す斜視図であり、図２は、カートン箱（梱包箱）を示す斜視図であり、図３Ａ及び図３Ｂは、緩衝部材を示す図であり、図４乃至図６は、スリーブ体を示す図であり、図７及び図８は、カートン箱にパウチを梱包する手順を示す図であり、図９は、パウチを梱包したカートン箱の断面図である。
【００２６】
図１に示すように、この梱包構造では、カートン箱１０（梱包箱）に、緩衝部材２０、部分的に重なるように配置された複数（例えば、６個）のスパウト付きのパウチ１００を内包するスリーブ体３０、部分的に重なるように配置された複数（例えば、６個）のスパウト付きのパウチ１００群、仕切り板４０及び部分的に重なるように配置された複数（例えば、６個）のスパウト付きのパウチ１００群が重ねられたものとなる。カートン箱１０は、図２に示すように、段ボール製の直方体形状の箱体であり、底部１１に対向する上面側の４辺に蓋片１２ａ、１２ｂ、１２ｃ、１２ｄが形成されている。これら蓋片１２ａ、１２ｂ、１２ｃ、１２ｄを内側に折り曲げることにより、カートン箱１０が閉じられる。
【００２７】
緩衝部材２０は図３Ａ及び図３Ｂに示すように構成される。この緩衝部材２０は、段ボール製であって、図３Ａに示すように、カートン箱１０の底部１１より僅かに狭い正方形又は長方形となる支持板部２１の４つの縁から下方に足板部２２ａ、２２ｂ、２２ｃ、２２ｄが延びて台状の構造となっている。例えば、図３Ｂに示すように、原形段ボール紙の四隅を切り欠くことにより、支持板部２１の４つの縁に足板部２２ａ、２２ｂ、２２ｃ、２２ｄが形成される。そして、足板部２２ａ、２２ｂ、２２ｃ、２２ｄを支持板部２１に対して略垂直となるように折り曲げることにより、支持板部２１の４つの縁から下方に足板部２２ａ、２２ｂ、２２ｃ、２２ｄが延びて台状となる構造の緩衝部材２０が形成される。
【００２８】
なお、指を引っ掛けるための孔部２３ａ，２３ｂが支持板部２１と足板部２２ｂとの境界部分の所定位置及び支持板部２１と足板部２２ｄの境界部分の所定位置に形成されている。これにより、緩衝部材２０のカートン箱１０への入れ込み及びカートン箱１０からの取り出しを容易に行えるようになる。
【００２９】
緩衝部材の構成は上記のものに限らず、カートン箱１０の底部１１とスリーブ体３０との間に空隙が形成されるようにスリーブ体３０を支持する構造であればよい。例えば、足板部に相当する４枚の部材を井桁状に組み合わせたもの、帯状の部材を「ロ」の字状ないし「８」の字状に折り曲げて足板部相当としたものでもよい。ロの字状の形態の場合、スリーブ体を確実に支持するように、角部を内側ないし外側へ折り返すのが好ましい。
【００３０】
スリーブ体３０は図４乃至図６に示すように構成される。このスリーブ体３０は、ダンボール製であって、図４に示すように、略長方形形状の底板部３１、底板部３１の縁から立ち上がる第１の立上がり部３２、第１の立上がり部３２から続いて底板部３１に対向する支持板部３３、支持板部３３の第１の立上がり部３２と逆側の縁から立下り、底板部３１に突き当たる立下り部３４及び底板部３１の第１の立上がり部３２と逆側の縁から立ち上がる第２の立上がり部３５によって断面長方形のスリーブ状に形成されている。例えば、図５に示すように、長方形の原形段ボール紙を底板部３１、第１の立上がり部３２、支持板部３３、立下り部３４、及び第２の立上がり部３５に仕切って、それぞれの板部を図６に示すように略直角に折り曲げることにより、図４に示すようなスリーブ体３０が形成される。
【００３１】
なお、指を引っ掛けるための孔部３６が支持板部３３と立下り部３４との境界部分の略中央に形成されるとともに、第２の立上がり部３５の底板部３１と逆側の縁の略中央に孔部３６が隠れないようにする凹状の孔逃げ部３７が形成されている。これにより、スリーブ３０のカートン箱２０への入れ込み及びカートン箱１０からの取り出しを容易に行えるようになる。
【００３２】
複数のスパウト付きのパウチ１００は、次のようにして梱包される。
【００３３】
図７に示すように、緩衝部材２０が、蓋片１２ａ、１２ｂ、１２ｃ、１２ｄを広げた状態のカートン箱１０に入れ込まれてその底部１１に置かれる。この作業は、指を孔部２３ａ、２３ｂに引っ掛けて行うことができる。次に、スリーブ体３０がカートン箱１０内の緩衝部材２０（支持板部２１）上にセットされる。具体的には、図８に示すように、底板部３１が露出するように支持板部３３を第１の立上げ部３２と同様に立ち上げた状態で、当該底板部３１をカートン箱１０内の緩衝部材２０（支持板部２１）上に置く。そして、露出した底板部３１上に複数のスパウト付きのパウチ１００を部分的に重なるように配置する。各パウチ１００の所定の角部にスパウトが設けられているが、このような各パウチ１００は、当該スパウトが他のパウチのスパウトの設けられていない部分に重なるように配置される。これにより、梱包されたパウチ１００のスパウト同士がぶつかりあって破損することを防止することができる。また、カートン箱を落下した場合でも、スパウトがパウチの柔らかい胴部に乗っているので、衝撃を更に緩和することができる。
【００３４】
なお、この実施形態では、全てのスパウト付きパウチ１００についてスパウトが他のパウチに重なるように、パウチ１００が向きを変えながら底板部３１上を周回するように配置されている。パウチの配置形態はこれに限らず、例えば、同じ向きに揃えた複数のパウチを縦方向又は横方向へ平行にずらすようにして部分的に重ねながら配置してもよい。
【００３５】
複数（例えば、６個）のパウチ１００の配置が終了すると、支持板部材３３に略直角になって続く立下り部３４の縁が底板部３１に当接するまで、支持板部３３と第１の立上げ部３２との境界で折り曲げて、スリーブ体３０を完成させる。これにより、図９に示すように、緩衝部材２０上にスリーブ体３０が重ねられた状態となり、そのスリーブ体３０に、部分的に重なるように配置された複数のパウチ１００がその上方に空隙３８をもって内包される。
【００３６】
また、図９に示すように、カートン箱１０内のスリーブ体３０（支持板部３３）上に部分的に重なるように配置された複数のスパウト付きのパウチ１００が置かれ、更に、その複数のパウチ１００の上に段ボール製の仕切り板４０が置かれる。そして、仕切り板４０の上に部分的に重なるように配置された複数のスパウト付きのパウチ１００が置かれる。その後、カートン箱１０の４つの蓋片１２ａ、１２ｂ、１２ｃ、１２ｄ（図２及び図７参照）を閉じてシールすることにより、梱包作業が終了する。
【００３７】
前述したようにカートン箱１０に複数のスパウト付きのパウチ１００が３段にて梱包された梱包構造によれば、部分的に重なるように配置された複数のパウチ１００を内包するスリーブ体３０をカートン箱１０の底部１１に設けられた緩衝部材２０の上に重ね、更に、スリーブ体３０の上に複数のパウチ１００を重ね、また更にその上に仕切り板４０を置いて複数のパウチ１００を重ねることによって、複数のパウチ１００をカートン箱１０内に梱包することができるので、その作業が容易になる。
【００３８】
更に、複数のパウチ１００を内包するスリーブ体３０を緩衝部材２０の上に重ねる際に、スリーブ体３０をまず広げた状態で緩衝部材２０上にセットし（図８参照）、底板部３１上に複数のパウチ１００を配置した後に、正規のスリーブ体３０を形成するようにしているので、スリーブ体３０とカートン箱１０の内壁との間の隙間が少なくても、パウチ１００のカートン箱１０内への梱包作業を容易に行うことができる。
また、複数のパウチ１００を収納したカートン箱１０を落下した場合、緩衝部材２０が空隙２５（図９参照）の範囲内で変形するので、スリーブ体３０に内包されるパウチ１００は、緩衝部材２０の当該変形による緩衝作用によってその衝撃が緩和される。また、スリーブ３０上に置かれた複数のパウチ１００及び更に仕切り板４０を介して更にその上に置かれた複数のパウチ１００は、緩衝部材２０ともにスリーブ３０の空隙３８（図９参照）によってその衝撃が緩和される。
【００３９】
最上位の複数のパウチ１００とその直下に位置する複数のパウチ１００との間が仕切り板４０で仕切られるようになっているので、必要とするスリーブ体３０の数を減らすことができ、梱包材料の節約を図ることができる。前記最上位の複数のパウチ１００とその直下に位置する複数のパウチ１００とは、緩衝部材２０及びスリーブ体３０によって衝撃が緩和される。また、最上位の直下にある複数の包装体１００のそれぞれには、仕切り板４０を介して自重分程度の荷重しかかからない。
【００４０】
なお、図１０に示すように、図１に示す梱包構造における最上位の複数のパウチ１００と仕切り板４０を省くことができる。このような梱包構造によれば、スリーブ体３０の上に重ねられる複数のパウチ１００に対する荷重が全くなくなり、より袋厚の薄いパウチの梱包に適用することができるようになる。
【００４１】
前述した各例では、スパウト付きのパウチ１００の梱包について説明したが、スパウトの無いパウチ１００の梱包も勿論できる。この場合、例えば、図１１に示すように、スリーブ体３０内にはスパウトの無い複数のパウチ２００が部分的に重ねられるように配置され、また、スリーブ体３０の上には、スパウトの無い複数のパウチが部分的に重ねられるように配置される。
【００４２】
前述した各例では、複数のパウチ１００を内包する単一のスリーブ体３０がカートン箱１０（梱包箱）に収納されるものであったが、図１２に示すように、複数のパウチ１００（２００）を内包する複数（例えば、２個）の同一形状のスリーブ体３０（１）、３０（２）をカートン箱１０内に重ねて収容することもできる。もちろん、最上のスリーブ体３０（２）上の複数のパウチ１００の上に仕切り板４０を置いて、さらにもう一段の複数のパウチ１００を積み重ねてもよい。
【産業上の利用可能性】
【００４３】
以上、説明したように、本発明の包装体の梱包構造及び梱包方法は、落下に際して内部の包装体へのダメージを極力小さくすることができるとともに、複数の包装体を梱包箱に詰める作業を簡単に行えるという効果を有し、パウチ等の包装体を段ボール製のカートン箱等の梱包箱に梱包する際の梱包構造及びその梱包方法として有用である。
【図面の簡単な説明】
【００４４】
【図１】本発明の実施の形態に係る包装体の梱包構造を構成する各部材を示す分解斜視図である。
【図２】図１に示す各部材のうちのカートン箱（梱包箱）を示す斜視図である。
【図３Ａ】図１に示す各部材のうちの緩衝部材を示す斜視図である。
【図３Ｂ】図３Ａに示す緩衝部材を展開した原形段ボール紙を示す図である。
【図４】図１に示す各部材のうちのスリーブ体を示す斜視図である。
【図５】図４に示すスリーブ体を展開した原形段ボール紙を示す図である。
【図６】図５に示す原形段ボール紙からスリーブ体を形成する過程を示す図である。
【図７】カートン箱にパウチを梱包する手順を示す図（その１）である。
【図８】カートン箱にパウチを梱包する手順を示す図（その２）である。
【図９】本発明の実施の形態に係る包装体の梱包構造を示す断面図である。
【図１０】本発明の実施の形態に係る包装体の梱包構造の変形例における各部材を示す分解斜視図である。
【図１１】本発明の実施の形態に係る包装体の梱包構造の変形例をスパウトの無いパウチの梱包に適用した場合の当該梱包構造の各部材を示す分解斜視図である。
【図１２】本発明の実施の形態に係る包装体の梱包構造の他の変形例を示す断面図である。
【符号の説明】
【００４５】
１０  カートン箱（梱包箱）
１１  底部
１２ａ、１２ｂ、１２ｃ、１２ｄ  蓋辺
２０  緩衝部材
２１  支持板部
２２ａ、２２ｂ、２２ｃ、２２ｄ  足板部
２３ａ、２３ｂ  孔部
３０  スリーブ体
３１  底板部
３２  第１の立上がり部
３３  支持板部
３４  立下り部
３５  第２の立上がり部
３６  孔部
３７  孔逃げ部
４０  仕切り板
１００  スパウト付きパウチ（包装体）
２００  パウチ（包装体）
【図１】
2010023870.tif 000003
【図２】
2010023870.tif 000004
【図３Ａ】
2010023870.tif 000005
【図３Ｂ】
2010023870.tif 000006
【図４】
2010023870.tif 000007
【図５】
2010023870.tif 000008
【図６】
2010023870.tif 000009
【図７】
2010023870.tif 000010
【図８】
2010023870.tif 000011
【図９】
2010023870.tif 000012
【図１０】
2010023870.tif 000013
【図１１】
2010023870.tif 000014
【図１２】
2010023870.tif 000015